(57)【特許請求の範囲】
【請求項１】
袖壁と該袖壁の後ろに収納される引戸とからなる引戸の構造において、該引戸は第１パネル及び第２パネルからなり、該第１パネルは、その上部両端部に滑車を備えるとともにワイヤが掛渡され、該ワイヤの袖壁側ワイヤの１点を上レ−ルに固定し、該第２パネルは上記第１パネルの後ろに設けられるとともに、該第２パネル上部の左右いずれかの端部が上記ワイヤの第２パネル側ワイヤの１点で上記第１パネルと連結手段によって連結され、且つ、上記第１パネルと連動して左右に摺動的に移動可能とされているとともに、前記滑車及びワイヤは第１パネルの上端面内に収まり、袖壁側ワイヤの上レールに固定される１点を、上レールの中方立の上方に位置する固定穴に固定し、該引戸の上部を、摺動自在に上レ−ルに嵌合させたことを特徴とする引戸の構造。
【請求項２】
前記ワイヤの袖壁側ワイヤの１点を、該ワイヤの両端に形成される球状の固定端を袖壁側ワイヤ部分に対向させ固定金具と板ナットを用い係合部分とし、該係合部分を上レールの固定穴に固定したことを特徴とする請求項１記載の引き戸の構造
【発明の詳細な説明】
【０００１】
【発明の属する技術分野】
本発明は、部屋の出入り口等、開口部に配置される引戸の構造に関する。さらに詳しくは、開口時には、袖壁の後ろに収納される壁収納型引戸の構造に関する
。
【０００２】
【従来の技術】
従来、上記、壁収納型引戸の構造としては、特開２０００−１９２７４０号、特開平１０−８８３４号、特開平９−２４２４０６号等の公報が知られている。例えば、特開平１０−８８３４号公報には、ユニットル−ムへのドア枠取り付け構造として、引戸がスライド移動するスライドレ−ルと引戸が収納配置される戸袋を備えたドア枠をユニットル−ムの外側に設置する構造が示されている。
【０００３】
【発明が解決しようとする課題】
ところで、一般住宅等における部屋の出入り口は、開口部の幅を比較的広く取ることが多く、この場合、袖壁を設けるとともに、引戸を２枚用いる必要がある。引戸を２枚用いると、開口部を閉じる時に、各引戸が個別にスライド移動するため、位置決めが難しく手間がかかるという問題点がある。しかしながら、上記、従来技術によってこのような問題点を解決することは困難である。そこで、本発明は、２枚のパネルを連動させ、１回の操作で出入り口の開閉を軽く、スム−スに行うことができる引戸の構造を提供することをその課題とする。
【０００４】
【課題を解決するための手段】
本発明は、上記問題点を解決するため、次のような技術的手段を講じている。すなわち、本発明によれば、袖壁と該袖壁の後ろに収納される引戸とからなる引戸の構造において、該引戸は第１パネル及び第２パネルからなり、該第１パネルは、その上部両端部に滑車を備えるとともにワイヤが掛渡され、該ワイヤの袖壁側ワイヤの１点を上レ−ルに固定し、該第２パネルは上記第１パネルの後ろに設けられるとともに、該第２パネル上部の左右いずれかの端部が上記ワイヤの第２パネル側ワイヤの１点で上記第１パネルと連結手段によって連結され、且つ、上記第１パネルと連動して左右に摺動的に移動可能とされているとともに、前記滑車及びワイヤは第１パネルの上端面内に収まり、袖壁側ワイヤの上レールに固定される１点を、上レールの中方立の上方に位置する固定穴に固定し、該引戸の上部を、摺動自在に上レ−ルに嵌合させたことを特徴とする引戸の構造が提供される。
【０００５】
上記引戸は、前記ワイヤの袖壁側ワイヤの１点を、該ワイヤの両端に形成される球状の固定端を袖壁側ワイヤ部分に対向させ固定金具と板ナットを用い係合部分とし、該係合部分を上レールの固定穴に固定したことが好ましい。このようにすることによって、２枚のパネルを連動させ、１回の操作で軽く、スム−スに、出入り口の開閉を行うことができる。
【０００６】
上記構成において、第１パネルの滑車に掛渡されたワイヤの袖壁側ワイヤの１点が、上記上レ−ルの中方立の上方に位置する固定穴に固定されることが好ましい。このようにすることによって、上記第１パネル及び第２パネルを収納したとき、中方立の外側端面と第１パネル及び第２パネルの外側端面とを同一面とすることができる。
【０００８】
【発明の実施の形態】
以下、本発明の好ましい実施の形態について、図面を参照してより詳細に説明する。なお、説明を容易にするため、図１、図２、図４、図５、図６においては、上レ−ルを省略している。図１は本発明にかかる引戸の構造Ａを左引手に設けて、部屋の出入口等、開口部を閉じた状態を示す概略平面図である。図１からよくわかるように、引戸は第１パネル１と第２パネル２から構成されており、各パネルは連動して動作し、開口部を開閉する。図２は、上記左引手に設けた引戸において、袖壁Ｗの後ろに第１パネル１と第２パネル２とを収納した状態を示す概略平面図である。図３は、上記引戸の構造Ａの分解斜視図である。
【０００９】
以下、図１、図２、図３を用いて本発明の引戸の構造Ａについて詳細に説明する。各図からよくわかるように、第１パネル１は、その両端部に滑車１１ａ、１１ｂを備えており、両滑車１１ａ、１１ｂにはワイヤ１２が掛渡されている。ここで、ワイヤ１２において、符号１２ａは、袖壁Ｗ側に位置する袖壁側ワイヤを表し、符号１２ｂは、第２パネル側に位置する第２パネル側ワイヤを表す。図３に、よく示されているように、ワイヤ１２の両端は球状の固定端１２１、１２２とされ、これら固定端を固定金具４３と板ナット４２によって、しっかりとビス留めし、さらに上レ−ル４に設けられた固定穴４１に固定する。このとき、固定穴４１は、上記上レ−ル４において、中方立３の上方に位置する部位であることが好ましい。
【００１０】
ここで、図３からよくわかるように、ワイヤ１２は、滑車１１ａ、１１ｂの各々、直近で、取付けプレ−ト１５に固定されたワイヤガイド１３、１４によって、その移動がスム−スに行えるようガイドされる。さらに、滑車１１ａ、１１ｂ及びワイヤ１２を載設した取付けプレ−ト１５は、その両端部で、ワイヤガイド１３、１４を第１パネル１にビス留めすることにより、しっかりと固定される。かくして、滑車１１ａ、１１ｂ及びワイヤ１２は、取付けプレ−ト１５を介して第１パネル１の上部を構成する。このとき、袖壁側ワイヤ１２ａは、上レ−ル４において、中方立３の上方に位置する固定穴４１に固定されているため、第１パネルに、それを左右に移動する力が加わったとき、上部両端部の滑車が回転し、第１パネル自体が左右に摺動的に移動する。図４に、上記ワイヤガイド１３を取付けプレ−ト１５を介して、第１パネル１に固定した状態の平面図を示す。
【００１１】
つぎに第２パネル２について説明する。図１、図２、図３からよくわかるように、第２パネル２に載設される連結プレ−ト２１の両端には、連結手段２２及び連結プレ−ト固定手段２３が設けられる。上記連結手段２２には、図３及び図４に示すようにワイヤ溝２２１が刻設されており、このワイヤ溝２２１に第２パネル側ワイヤ１２ｂを嵌め込み、樹脂によって固めたり、ワイヤ溝２２１が設けられている部分をかしめる等の手段により、該第２パネル側ワイヤ１２ｂを連結手段２２にしっかりと固定する。上記、第２パネル側ワイヤ１２ｂを連結手段２２に固定した状態の平面図を図４に示す。一方、図３からよくわかるように、連結プレ−ト固定手段２３は、第２パネル２にビス留め等の手段により、しっかりと固定される。このように、第２パネル２に載設された、連結手段２２、連結プレ−ト固定手段２３及び連結プレ−ト２１は、第２パネル２の上部を構成する。
【００１２】
以下、本発明にかかる引戸の構造Ａの動作について、図１を用いて説明する。使用者が室外から出るため左引手に第２パネル２を引くと、第２パネル２は矢印の方向に移動するとともに連結手段２２によって固定された第２パネル側ワイヤ１２ｂをも矢印の方向に移動させる。ところが、上記ワイヤ１２の球状の固定端１２１、１２２が、固定金具４３と板ナット４２によって、ビス留めされ、上レ−ル４に設けられた固定穴４１に固定されているため、滑車１１ａ、１１ｂが矢印の方向に回転し、第１パネル１自体が矢印の方向に摺動的に移動する。その結果、第１パネル１は、第２パネル２と連動して、図２に示すように袖壁Ｗの後ろに収納される。一方、図２に示す収納状態から引戸を引出し、部屋の出入り口を閉じるときは、上記矢印と逆方向に第２パネル２を引くと、滑車１１ａ、１１ｂが上記と逆方向に回転し、第１パネル１自体が上記矢印と逆方向に摺動的に移動する。その結果、第１パネル１と第２パネル２が連動して部屋の出入り口を閉じる。
【００１３】
上記は左引手の場合について説明したが、右引手の場合も同様に動作して部屋の出入り口を開閉することができる。図５は、右引手の場合に、本発明にかかる引戸の構造Ａによって、部屋の出入口等、開口部を閉じた状態を示す概略平面図であり、図６は、袖壁Ｗの後ろに第１パネル１、第２パネル２を収納した状態を示す概略平面図である。なお、上記引戸は、その上部が摺動自在に上記上レ−ル４に嵌合される。上レ−ルとしては、とくに限定されず、例えば、一体成型したアルミニウム製、あるいはプラスチック製等のレ−ルを用いることができる。
【００１４】
【発明の効果】
本発明は、袖壁と該袖壁の後ろに収納される引戸とからなる引戸の構造において、該引戸は第１パネル及び第２パネルからなり、該第１パネルは、その上部両端部に滑車を備えるとともにワイヤが掛渡され、該ワイヤの袖壁側ワイヤの１点を上レ−ルに固定し、該第２パネルは上記第１パネルの後ろに設けられるとともに、該第２パネル上部の左右いずれかの端部が上記ワイヤの第２パネル側ワイヤの１点で上記第１パネルと連結手段によって連結され、且つ、上記第１パネルと連動して左右に摺動的に移動可能とされているとともに、前記滑車及びワイヤは第１パネルの上端面内に収まり、袖壁側ワイヤの上レールに固定される１点を、上レールの中方立の上方に位置する固定穴に固定し、該引戸の上部を、摺動自在に上レ−ルに嵌合させたことを特徴とする。
【００１５】
このようにすることにより、一般住宅における部屋の出入り口等、開口部の幅が比較的広い場合にも、引戸を２枚のパネルから構成し、各パネルを連動させ、１回の操作で出入り口の開閉を軽く、スム−スに行うことできる。
【図面の簡単な説明】
【図１】本発明にかかる左引手の引戸の構造を示す概略平面図である（上レ−ル省略）。
【図２】本発明にかかる左引手の引戸の構造を収納した状態を示す概略平面図である（上レ−ル省略）。
【図３】本発明にかかる引戸の構造の分解斜視図である。
【図４】上記実施例において、第１パネルと第２パネルを連結手段を介して連結した状態を示す平面図である（上レ−ル省略）。
【図５】本発明にかかる右引手の引戸の構造を示す概略平面図である（上レ−ル省略）。
【図６】本発明にかかる右引手の引戸の構造を収納した状態を示す概略平面図である（上レ−ル省略）。
【符号の説明】
１          第１パネル
１１ａ      滑車
１１ｂ      滑車
１２        ワイヤ
１２ａ      袖壁側ワイヤ
１２ｂ      第２パネル側ワイヤ
１２１      固定端
１２２      固定端
１３        ワイヤガイド
１４        ワイヤガイド
１５        取付けプレ−ト
２          第２パネル
２１        連結プレ−ト
２２        連結手段
２２１      ワイヤ溝
２３        連結プレ−ト固定手段
３          中方立
４          上レ−ル
４１        固定穴
４２        板ナット
４３        固定金具
Ａ          引戸の構造
Ｗ          袖壁
【図１】
0003666418.tif 000002
【図２】
0003666418.tif 000003
【図３】
0003666418.tif 000004
【図４】
0003666418.tif 000005
【図５】
0003666418.tif 000006
【図６】
0003666418.tif 000007